(57)【要約】      （修正有）【課題】小規模な無線通信機器に対して無線ネットワークのアクセスポイントに接続するための設定の手段を提供する。【解決手段】通信端末１００は、無線通信機器２００に対して無線ネットワークのアクセスポイント３００への無線ネットワーク接続を設定させる。通信端末１００の近距離無線通信部１３０は、近距離無線通信を介して前記無線通信機器２００に接続する。通信端末１００の処理部１１０は、無線通信機器２００に対して無線ネットワーク接続のための設定情報を供給する。通信端末１００の処理部１１０は、無線ネットワーク接続のための設定情報を用いてアクセスポイント３００への接続を試行するよう指示する。また、通信端末１００の処理部１１０は、無線ネットワーク接続が確立された場合には、その設定情報を無線通信機器２００の記憶部２２０に記憶するよう指示する。【選択図】図１
2017046025.tif 000002
【特許請求の範囲】
【請求項１】
無線通信機器と、前記無線通信機器に対して無線ネットワークのアクセスポイントへの無線ネットワーク接続を設定する通信端末とを具備する無線ネットワーク設定システムであって、
前記無線通信機器は、
前記アクセスポイントとの間で無線ネットワーク通信を行うネットワーク通信部と、
前記通信端末と近距離無線通信により通信を行う近距離無線通信部と、
前記無線ネットワーク接続のための設定情報を記憶する記憶部と
を備え、
前記通信端末は、
前記近距離無線通信を介して前記無線通信機器に接続して、前記無線通信機器に対して、前記無線ネットワーク接続のための設定情報を供給するとともに、前記ネットワーク通信部が前記設定情報を用いて前記アクセスポイントへの接続を試行するよう指示し、前記無線ネットワーク接続が確立された場合には前記設定情報を前記記憶部に記憶するよう指示する
無線ネットワーク設定システム。
【請求項２】
前記通信端末は、前記設定情報および当該設定情報を用いて前記アクセスポイントへの接続を試行するためのプログラムを前記無線通信機器に対して供給することで、前記アクセスポイントへの接続を指示する
請求項１記載の無線ネットワーク設定システム。
【請求項３】
前記通信端末は、前記設定情報を含み、前記設定情報を用いて前記アクセスポイントへの接続を要求するための制御信号を含むデータを前記無線通信機器に対して供給し、
前記無線通信機器は、前記近距離無線通信部において受信した前記制御信号を、前記ネットワーク通信部に供給することで、前記アクセスポイントへの接続を試行する
請求項１記載の無線ネットワーク設定システム。
【請求項４】
前記通信端末は、
あらかじめ前記設定情報を記憶する第２の記憶部を備え、
前記第２の記憶部に記憶された前記設定情報を前記無線通信機器に供給して前記アクセスポイントへの接続を指示する
請求項１から３のいずれかに記載の無線ネットワーク設定システム。
【請求項５】
前記第２の記憶部は、あらかじめ複数の前記設定情報を記憶し、
前記通信端末は、前記第２の記憶部に記憶された前記複数の設定情報のうちの一の設定情報を前記無線通信機器に供給して前記アクセスポイントへの接続を試行するよう指示し、前記無線ネットワーク接続が確立されなかった場合には前記複数の設定情報のうち未試行の設定情報を前記無線通信機器に供給して前記アクセスポイントへの接続を試行するよう指示する
請求項４記載の無線ネットワーク設定システム。
【請求項６】
前記第２の記憶部は、あらかじめ複数の前記設定情報を記憶し、
前記通信端末は、前記第２の記憶部に記憶された前記複数の設定情報のうち前記アクセスポイントから送信された前記アクセスポイントを識別するための識別情報に対応する前記設定情報を前記無線通信機器に供給して前記アクセスポイントへの接続を試行するよう指示する
請求項４記載の無線ネットワーク設定システム。
【請求項７】
前記通信端末は、
前記設定情報の入力を受け付ける入力部を備え、
前記入力部によって受け付けられた前記設定情報を前記無線通信機器に供給して前記アクセスポイントへの接続を試行するよう指示する
請求項１から３のいずれかに記載の無線ネットワーク設定システム。
【請求項８】
前記設定情報を管理する管理サーバをさらに備え、
前記通信端末は、前記管理サーバから供給される前記設定情報を前記無線通信機器に供給して前記アクセスポイントへの接続を試行するよう指示する
請求項１から３のいずれかに記載の無線ネットワーク設定システム。
【請求項９】
前記無線通信機器は、前記ネットワーク通信部における前記アクセスポイントへの接続の試行の結果を、前記近距離無線通信を介して前記通信端末に送信し、
前記通信端末は、前記試行の結果を分析して、前記無線ネットワーク接続が確立された場合には、前記試行に用いられた前記設定情報を前記記憶部に記憶するよう指示する
請求項１から８のいずれかに記載の無線ネットワーク設定システム。
【請求項１０】
無線通信機器に対して無線ネットワークのアクセスポイントへの無線ネットワーク接続を設定させる通信端末であって、
近距離無線通信を介して前記無線通信機器に接続する近距離無線通信部と、
前記無線ネットワーク接続のための設定情報を前記無線通信機器に供給して前記アクセスポイントへの接続を試行するよう指示し、前記無線ネットワーク接続が確立された場合には前記設定情報を前記無線通信機器の記憶部に記憶するよう指示する処理部と
を具備する通信端末。
【請求項１１】
無線通信機器に対して無線ネットワークのアクセスポイントへの無線ネットワーク接続を設定する通信端末の無線ネットワーク設定方法であって、
近距離無線通信を介して前記無線通信機器に接続した前記通信端末が、前記無線ネットワーク接続のための設定情報を前記無線通信機器に供給して前記無線ネットワークのアクセスポイントへの接続を試行するよう指示する手順と、
前記通信端末が、前記無線ネットワーク接続が確立された場合に前記設定情報を前記無線通信機器の記憶部に記憶するよう指示する手順と
を具備する無線ネットワーク設定方法。
【発明の詳細な説明】
【技術分野】
【０００１】
本発明は、無線ネットワークに接続するための設定を行う無線ネットワーク設定システムに関し、特に無線通信機器を無線ネットワークに接続するための設定を行う無線ネットワーク設定システム、通信端末、および、これらにおける処理方法ならびに当該方法をコンピュータに実行させるプログラムに関する。
【背景技術】
【０００２】
従来、通信端末を無線ネットワークのアクセスポイントに接続するために、必要な設定情報を配布サーバから無線ネットワークとは異なる方式で遠隔で取得して、通信端末自身がその設定情報を利用してアクセスポイントへの接続を行う技術が提案されている（例えば、特許文献１参照。）。この従来技術では、通信端末はアクセスポイントに接続するため無線ネットワークインターフェースに加えて、配布サーバと接続するための通信インターフェースを備えている。
【先行技術文献】
【特許文献】
【０００３】
【特許文献１】特開２０１４−１２０９２８号公報
【発明の概要】
【発明が解決しようとする課題】
【０００４】
上述の従来技術では、通信端末が設定情報を配布サーバから取得することにより、通信端末自身がアクセスポイントに接続するため設定動作を行っている。しかしながら、そのような機能を有しない無線通信機器を想定すると、設定情報を取得しただけではアクセスポイントに接続するため設定動作を行うことができず、アクセスポイントに接続することができない。例えば、近距離無線通信のための通信モジュールと無線ＬＡＮに接続するための通信モジュールとを備え、一方の通信モジュールで受信した情報のフォーマットを変換し、他方の通信モジュールで送信するという比較的単純な処理を行う無線通信機器を想定すると、ユーザが情報を入出力するためのインターフェースや、高度な処理を行う処理部を必要としない。そのため、低コストで生産できる一方で、無線ＬＡＮの通信モジュールの設定を単独で行うことができないという事態が起こり得る。
【０００５】
本発明はこのような状況に鑑みて生み出されたものであり、小規模な無線通信機器に対して無線ネットワークのアクセスポイントに接続するための設定を行わせることを目的とする。
【課題を解決するための手段】
【０００６】
本発明は、上述の問題点を解消するためになされたものであり、その第１の側面は、無線通信機器と、上記無線通信機器に対して無線ネットワークのアクセスポイントへの無線ネットワーク接続を設定する通信端末とを具備する無線ネットワーク設定システムであって、上記無線通信機器は、上記アクセスポイントとの間で無線ネットワーク通信を行うネットワーク通信部と、上記通信端末と近距離無線通信により通信を行う近距離無線通信部と、上記無線ネットワーク接続のための設定情報を記憶する記憶部とを備え、上記通信端末は、上記近距離無線通信を介して上記無線通信機器に接続して、上記無線通信機器に対して、上記無線ネットワーク接続のための設定情報を供給するとともに、上記ネットワーク通信部が上記設定情報を用いて上記アクセスポイントへの接続を試行するよう指示し、上記無線ネットワーク接続が確立された場合には上記設定情報を上記記憶部に記憶するよう指示する無線ネットワーク設定システムである。これにより、通信端末による動作の制御に基づいて、無線通信機器とアクセスポイントとの間の接続が試行されるという作用をもたらす。
【０００７】
また、本発明の第２の側面は、無線通信機器に対して無線ネットワークのアクセスポイントへの無線ネットワーク接続を設定させる通信端末であって、近距離無線通信を介して上記無線通信機器に接続する近距離無線通信部と、上記無線ネットワーク接続のための設定情報を上記無線通信機器に供給して上記アクセスポイントへの接続を試行するよう指示し、上記無線ネットワーク接続が確立された場合には上記設定情報を上記無線通信機器の記憶部に記憶するよう指示する処理部とを具備する通信端末およびその無線ネットワーク設定方法である。これにより、無線通信機器とアクセスポイントとの間の接続が試行されるという作用をもたらす。
【発明の効果】
【０００８】
本発明によれば、小規模な無線通信機器に対して無線ネットワークのアクセスポイントに接続するための設定を行わせることができるという優れた効果を奏し得る。
【図面の簡単な説明】
【０００９】
【図１】本発明の実施の形態における無線ネットワーク設定システムの全体構成例を示す図である。
【図２】本発明の実施の形態における通信端末１００の記憶部１２０に記憶される設定情報１２１の例を示す図である。
【図３】本発明の実施の形態における近距離無線通信および無線ネットワーク通信に用いられる信号フォーマットの例を示す図である。
【図４】本発明の実施の形態における通信端末１００の処理部１１０による処理手順例を示す流れ図である。
【図５】本発明の実施の形態における無線ネットワーク設定システムの処理手順例を示すシーケンス図である。
【図６】本発明の実施の形態の第１の変形例の通信端末１００による設定情報の入力例を示す図である。
【図７】本発明の実施の形態の第２の変形例の無線ネットワーク設定システムの全体構成例を示す図である。
【発明を実施するための形態】
【００１０】
以下、本発明を実施するための形態（以下、実施の形態と称する）について説明する。
【００１１】
＜１．実施の形態＞
［全体構成］
図１は、本発明の実施の形態における無線ネットワーク設定システムの全体構成例を示す図である。ここでは、無線通信機器２００がネットワーク４００に接続するために設けられたアクセスポイント３００を想定し、そのアクセスポイント３００に接続するための無線ネットワーク通信の設定情報を、通信端末１００が近距離無線通信によって設定するものとする。
【００１２】
無線通信機器２００は、近距離無線通信を行うための近距離無線通信部２３０および無線ネットワーク通信を行うためのネットワーク通信部２４０の２つの通信モジュールを備える。この無線通信機器２００は、例えば、一方の通信モジュールで受信した情報を、他方の通信モジュールで用いられるフォーマットに変換した上で送信する処理を行うものである。無線通信機器２００は、そのような比較的単純な処理を行うために最低限の構成を有するものであり、近距離無線通信部２３０およびネットワーク通信部２４０の他に処理部２１０および記憶部２２０を備える。これら近距離無線通信部２３０、ネットワーク通信部２４０、処理部２１０および記憶部２２０は、バス２９０によって相互に接続される。
【００１３】
近距離無線通信部２３０が行う近距離無線通信の規格として、例えば、近距離無線通信のために超低消費電力に最適化された「Ｂｌｕｅｔｏｏｔｈ（登録商標）  Ｌｏｗ  Ｅｎｅｒｇｙ」（以下、「ＢＬＥ」と略す。）を想定する。また、ネットワーク通信部２４０が行う無線ネットワーク通信の規格として、例えば、Ｗｉ−Ｆｉ（登録商標）規格などの無線ＬＡＮを想定する。
【００１４】
処理部２１０は無線通信機器２００として必要な処理を行うものであるが、特にこの実施の形態では、通信端末１００から近距離無線通信を介して供給される設定情報やコマンドに応じた処理を行う。
【００１５】
記憶部２２０は、処理部２１０の動作に必要なプログラムおよびデータや、ネットワーク通信部２４０による無線ネットワーク通信に必要な設定情報２２１を記憶する。設定情報２２１には、無線ネットワーク通信のアクセスポイント３００を識別するためのサービスセット識別子（ＳＳＩＤ：Service Set IDentifier）、無線ネットワーク通信に使用される暗号化形式およびその暗号化鍵などが含まれる。無線ネットワーク通信により接続する機器（例えば、無線通信機器２００）は、予定された設定情報と同じ設定情報を有していないと認証に失敗し、無線ネットワーク通信による接続を行うことができない。
【００１６】
ＳＳＩＤとしては、最大３２文字までの任意の英数字が設定可能であり、ネットワーク通信部２４０から指定されたＳＳＩＤとアクセスポイント３００のＳＳＩＤとが一致する場合に限り無線ネットワーク通信を行うことができる。
【００１７】
無線ネットワーク通信に使用される暗号化形式としては、例えば、ＷＥＰ形式、ＷＰＡ形式、ＷＰＡ２形式などがある。ＷＥＰ（Wired Equivalent Privacy）形式は、固定されたＰＳＫ（Pre-Shared Key）を使用した暗号化方式であり、暗号化鍵としては１３文字までの数字、または、２６桁までの１６進数が使用される。ＷＰＡ（Wi-Fi Protected Access）形式は、ＷＥＰ形式の強化版の暗号化方式であり、暗号化アルゴリズムとしてＴＫＩＰ（Temporal Key Integrity Protocol）やＡＥＳ（Advanced Encryption Standard）を用いたものが知られている。前者はＷＰＡ−ＰＳＫ（ＴＫＩＰ）と呼ばれ、後者はＷＰＡ−ＰＳＫ（ＡＥＳ）と呼ばれる。ＷＰＡ２形式は、ＷＰＡ形式の後継規格であり、暗号化アルゴリズムとしては基本的にＡＥＳが用いられる。
【００１８】
通信端末１００は、ユーザ（例えば顧客など）が携帯する端末である。この通信端末１００としては、例えば、携帯端末やタブレット型パーソナルコンピュータなどが挙げられる。通信端末１００は、処理部１１０と、記憶部１２０と、近距離無線通信部１３０と、ネットワーク通信部１４０と、入力部１６０と表示部１７０とを備える。これらはバス１９０によって相互に接続される。
【００１９】
処理部１１０は、通信端末１００として必要な処理を行うものであるが、特にこの実施の形態では、近距離無線通信部１３０を介して、無線通信機器２００と近距離無線通信を行い、無線通信機器２００がアクセスポイント３００に接続するための処理を行うよう、無線通信機器２００の処理部２１０に指示する。また、その際の接続の試行の結果を、無線通信機器２００から近距離無線通信により受信し、接続が成功したか否かを分析する。これにより、無線通信機器２００がアクセスポイント３００に接続するために必要な処理を行うための情報やアプリケーションプログラムを有していない場合でも、必要な処理を行うことができるようになる。
【００２０】
具体的には、処理部１１０は、アクセスポイント３００への接続に必要な設定情報、および、無線ネットワーク通信の接続を試行するためのコマンドを、ネットワーク通信部２４０からアクセスポイント３００に送信させて、無線ネットワーク通信の接続を試行する。そして、無線ネットワーク通信の接続が確立された場合には、その設定情報を無線通信機器２００の記憶部２２０に記憶させる。これにより、無線通信機器２００は、アクセスポイント３００との無線ネットワーク通信を行うことができるようになる。
【００２１】
記憶部１２０は、通信端末１００の処理に必要なデータを記憶するものである。例えば、この記憶部１２０は、上述のような無線ネットワーク通信の接続を試行する際に用いられる設定情報を記憶する。この記憶部１２０は、設定情報を１組のみ記憶してもよく、また、後述するように複数組を記憶してもよい。
【００２２】
近距離無線通信部１３０は、近距離無線通信を行うための通信モジュールである。この近距離無線通信部１３０は、無線通信機器２００の近距離無線通信部２３０と近距離無線通信を行うことにより、アクセスポイント３００への接続を試行するよう無線通信機器２００の処理部２１０に対して必要な設定情報やコマンドの供給を行う。
【００２３】
ネットワーク通信部１４０は、無線ネットワーク通信を行うための通信モジュールである。このネットワーク通信部１４０は、他のサーバなどとの間で無線ネットワーク通信を行うことにより、通信端末１００として必要な処理を実現する。
【００２４】
入力部１６０は、ユーザからの操作入力を受け付けるものである。表示部１７０は、ユーザに対して映像や音声によって情報を通知または提示するものである。この表示部１７０としては、例えば、タッチパネルを想定することができる。この場合、タッチパネルは、表示部１７０だけでなく、入力部１６０を兼ねるようにしてもよい。
【００２５】
［設定情報］
図２は、本発明の実施の形態における通信端末１００の記憶部１２０に記憶される設定情報１２１の例を示す図である。この設定情報１２１は、上述の設定情報と同様に、ＳＳＩＤ、暗号化形式およびその暗号化鍵などを含む。
【００２６】
この例では、設定情報１２１には複数組の設定情報が記憶される。通信端末１００は、これら複数組の設定情報の中から設定情報を１つずつ選択して、アクセスポイント３００に対する無線ネットワーク通信の接続を試行する。その際、アクセスポイント３００から送信されるアクセスポイント３００の識別情報（例えば、ＳＳＩＤ）を受信して、そのＳＳＩＤに基づいて複数組の設定情報の中から設定情報を特定するようにしてもよい。そして、無線ネットワーク通信の接続が確立された場合には、その際の設定情報を無線通信機器２００の記憶部２２０に記憶させるよう、無線通信機器２００の処理部２１０に設定情報とコマンドとを送信する。
【００２７】
ここに示した設定情報の例は、無線通信機器２００とアクセスポイント３００とが通信を行うための相互認証に関するものであるが、アクセスポイント３００が通信に用いるチャネルや無線ＬＡＮの規格（ＩＥＥＥ  ８０２．１１ａ、ＩＥＥＥ  ８０２．１１ｂ、ＩＥＥＥ  ８０２．１１ｂ／ｇ等）などを設定情報として含んでもよい。
【００２８】
なお、ここでは、設定情報１２１に複数組の設定情報が記憶される例を挙げたが、設定情報１２１に記憶される設定情報は１組のみであってもよい。
【００２９】
［信号フォーマット］
図３は、本発明の実施の形態における近距離無線通信および無線ネットワーク通信に用いられる信号フォーマットの例を示す図である。
【００３０】
通信端末１００の近距離無線通信部１３０は、リンク層のパケットとして、ＢＬＥ規格に従ったＢＬＥパケット７１０を送信する。このＢＬＥパケット７１０は、１オクテットのプリアンブル７１１と、４オクテットのアクセスアドレス７１２と、２乃至３９オクテットのＰＤＵ（Protocol Data Unit）と、３オクテットのＣＲＣ（Cyclic Redundancy Check）７１５とからなる。
【００３１】
プリアンブル７１１は、受信側において、周波数同期、シンボルタイミング推定、ＡＧＣ調整を行うためにパケットの先頭に付加される信号である。アクセスアドレス７１２は、物理チャンネルに合わせるための相関コードとして用いられる物理アドレスである。ＣＲＣ７１５は、通信の過程で発生したエラーを検出するための巡回冗長検査符号である。
【００３２】
ＰＤＵはリンク層において送信されるプロトコルデータユニットである。このＰＤＵは、ヘッダ７１３およびペイロード７１４からなる。この実施の形態では、ペイロード７１４に設定情報が含まれて、通信端末１００から無線通信機器２００に送信される。
【００３３】
無線通信機器２００の近距離無線通信部２３０は、通信端末１００から送信されたＢＬＥパケット７１０を受信する。そして、無線通信機器２００のネットワーク通信部２４０は、ＢＬＥパケット７１０を無線ネットワーク通信のプロトコルに変換して、アクセスポイント３００に対して送信する。この実施の形態では、無線ネットワーク通信のプロトコルとしてＩＥＥＥ８０２．１１を想定し、ネットワーク通信部２４０はＰＬＣＰ（Physical Layer Convergence Protocol）フレーム７２０を送信するものとする。
【００３４】
ＰＬＣＰフレーム７２０は、ＰＬＣＰ（Physical Layer Convergence Protocol）プリアンブル７２１と、ＰＬＣＰヘッダ７２２と、ＰＳＤＵ（PLCP Service Data Unit）とからなる。ＰＬＣＰプリアンブル７２１は、ＰＬＣＰフレーム７２０の先頭に付加される同期信号のビット列である。ＰＬＣＰヘッダ７２２には、変調方式やデータ長などの情報が含まれる。ＰＬＣＰフレーム７２０のデータであるＰＳＤＵには、ＭＡＣ（Media Access Control）フレームが格納される。
【００３５】
ＭＡＣフレームは、ＭＡＣヘッダ７２３と、データ７２４と、ＦＣＳ（Frame Check Sequence）７２５とからなる。ＭＡＣヘッダ７２３はＭＡＣフレームのヘッダであり、宛先および送信元のＭＡＣアドレスが含まれる。データ７２４には、上位層のＩＰ（Internet Protocol）パケットが含まれる。ＦＣＳ７２５には、ＣＲＣによるエラー検出コードが含まれる。
【００３６】
通信端末１００の処理部１１０は、ＢＬＥパケット７１０のペイロード７１４に設定情報を含めて、アクセスポイント３００への接続を試行するよう、無線通信機器２００の処理部２１０に対して指示し、処理部２１０の制御のもと、ネットワーク通信部２４０を動作させる。処理部２１０は、ＢＬＥパケット７１０をＰＬＣＰフレーム７２０に変換する。このとき、ＢＬＥパケット７１０のペイロード７１４は、ＰＬＣＰフレーム７２０のデータ７２４に格納される。これにより、無線通信機器２００のネットワーク通信部２４０は、ＰＬＣＰフレーム７２０のデータ７２４に設定情報を含めて、アクセスポイント３００への接続を試行する。通信端末１００の処理部１１０は、無線通信機器２００の処理部２１０より、接続の試行の結果の通知を受け、その結果、アクセスポイント３００と無線通信機器２００との間で無線ネットワーク接続が確立された場合には、通信端末１００の処理部１１０はそのときの設定情報を記憶部２２０に記憶させるよう、無線通信機器２００の処理部２１０に対して指示する。
【００３７】
通信端末１００の処理部１１０が、無線通信機器２００の処理部２１０にアクセスポイント３００への接続を試行するよう動作を指示する場合の処理としては、例えば、ＢＬＥパケット７１０のペイロード７１４により設定情報を含む接続試行用のプログラムを送信して、無線通信機器２００内の処理部２１０においてそのプログラムを実行するようにしてもよい。
【００３８】
また、アクセスポイント３００への接続を試行するよう動作を指示する場合の他の処理の例として、通信端末１００の処理部１１０が、アクセスポイント３００に接続を要求する制御信号を生成して、ＢＬＥパケット７１０のペイロード７１４によって送信することにより、設定情報を含むその制御信号を無線通信機器２００に送信する。無線通信機器２００側の処理部２１０は、近距離無線通信部２３０を通して受信したペイロード７１４の内容をデータ７２４に直接変換して、ネットワーク通信部２４０に供給するようにしてもよい。
【００３９】
［動作］
図４は、本発明の実施の形態における通信端末１００の処理部１１０による処理手順例を示す流れ図である。ここでは、上述の図２のように、複数組の設定情報が記憶部１２０に記憶されている場合を想定する。
【００４０】
処理部１１０は、最初の設定情報をペイロード７１４に含めて（ステップＳ９１１）、アクセスポイント３００への接続を試行するよう無線通信機器２００の処理部２１０に対してネットワーク通信部２４０の動作の制御を行うよう指示する（ステップＳ９１２）。処理部１１０は、このときの接続の試行の結果の通知を受けてその内容を分析し、アクセスポイント３００と無線通信機器２００との間で無線ネットワーク接続が確立された場合には（ステップＳ９１３：Ｙｅｓ）、通信端末１００の処理部１１０はそのときの設定情報を記憶部２２０に記憶させるよう無線通信機器２００の処理部２１０に指示を行う（ステップＳ９１６）。
【００４１】
一方、無線ネットワーク接続が確立されなかった場合には（ステップＳ９１３：Ｎｏ）、未試行の設定情報が記憶部１２０に記憶されていれば（ステップＳ９１４：Ｙｅｓ）その設定情報をペイロード７１４に含めて（ステップＳ９１５）送信し、アクセスポイント３００への接続を試行するよう無線通信機器２００の処理部２１０に指示する（ステップＳ９１２）。アクセスポイント３００に接続できる設定情報が存在しない場合には（ステップＳ９１４：Ｎｏ）、接続の試行処理はエラー終了となる。
【００４２】
図５は、本発明の実施の形態における無線ネットワーク設定システムの処理手順例を示すシーケンス図である。
【００４３】
通信端末１００と無線通信機器２００とが互いに近距離無線通信による通信が可能な範囲内に入ると、近距離無線通信による通信を開始する（ステップＳ８１１）。通信端末１００は、設定情報とコマンドとを無線通信機器２００に送信して、アクセスポイント３００への接続を試行するよう指示する（ステップＳ８１２）。これに従って、無線通信機器２００は、アクセスポイント３００に接続を要求する（ステップＳ８１３）。
【００４４】
無線通信機器２００からの接続要求により、アクセスポイント３００との間で設定情報の認証処理が行われる（ステップＳ８１４）。具体的には、設定情報のＳＳＩＤがアクセスポイント３００のＳＳＩＤと一致し、暗号化形式およびその暗号化鍵がアクセスポイント３００において想定しているものに合致していることが認証に必要な要件となる。
【００４５】
認証に成功すると、無線通信機器２００とアクセスポイント３００との間の接続が確立し、無線ネットワーク通信の接続が開始する（ステップＳ８１５）。この接続が確立すると、無線通信機器２００は通信端末１００に対してその旨を通知する（ステップＳ８１６）。
【００４６】
無線通信機器２００から接続確立の通知を受けると、通信端末１００は、その接続に使用された設定情報を記憶部２２０に記憶するよう無線通信機器２００に指示する（ステップＳ８１７）。これにより、確立された接続に使用された設定情報が記憶部２２０の設定情報２２１として記憶される。
【００４７】
このように、本発明の実施の形態では、無線ネットワークの設定機能を有しない小規模な無線通信機器２００に対して、無線ネットワークのアクセスポイント３００に接続するための設定情報を通信端末１００が設定させる。これにより、無線通信機器２００を無線ネットワークのアクセスポイント３００に接続するための設定を行わせることができる。
【００４８】
＜２．変形例＞
上述の実施の形態では、通信端末１００の記憶部１２０に記憶された設定情報１２１を用いてアクセスポイント３００への接続を試行するよう指示していたが、設定情報は他の方法により供給するようにしてもよい。例えば、以下に説明する第１の変形例のように、通信端末１００を使用するユーザによって入力された設定情報を用いてもよい。また、第２の変形例のように、設定情報を供給する管理サーバを想定してもよい。
【００４９】
［第１の変形例］
図６は、本発明の実施の形態の第１の変形例の通信端末１００による設定情報の入力例を示す図である。通信端末１００の表示部１７０には、無線ＬＡＮ設定に必要な設定情報を促す画面が表示される。この例では、ＳＳＩＤ、暗号化形式および暗号鍵の入力が求められている。通信端末１００を使用するユーザが、これらの設定情報を入力部１６０によって入力すると、処理部１１０はその設定情報を用いてアクセスポイント３００への接続を試行するよう無線通信機器２００の処理部２１０に対して動作を指示する。
【００５０】
すなわち、この第１の変形例のように、記憶部１２０に記憶された設定情報１２１に代えて、入力部１６０から入力された設定情報を用いて、アクセスポイント３００への接続を試行させてもよい。
【００５１】
［第２の変形例］
図７は、本発明の実施の形態の第２の変形例の無線ネットワーク設定システムの全体構成例を示す図である。この第２の変形例では、設定情報を供給する管理サーバ５００を想定する。
【００５２】
管理サーバ５００は、無線ネットワークに接続するための設定情報を管理している。設定情報の内容については、図２により説明したものと同様である。通信端末１００は、ネットワーク通信部１４０によって管理サーバ５００と接続することができる。管理サーバ５００は、通信端末１００からの要求に応じて、通信端末１００に設定情報を供給する。処理部１１０は、管理サーバ５００から供給された設定情報を用いてアクセスポイント３００への接続を試行するよう無線通信機器２００の処理部２１０に対して動作を指示する。
【００５３】
すなわち、この第２の変形例のように、記憶部１２０に記憶された設定情報１２１に代えて、管理サーバ５００から供給された設定情報を用いて、アクセスポイント３００への接続を試行させてもよい。
【００５４】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００５５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００５６】
１００  通信端末
１１０  処理部
１２０  記憶部
１２１  設定情報
１３０  近距離無線通信部
１４０  ネットワーク通信部
１６０  入力部
１７０  表示部
１９０  バス
２００  無線通信機器
２１０  処理部
２２０  記憶部
２２１  設定情報
２３０  近距離無線通信部
２４０  ネットワーク通信部
２９０  バス
３００  アクセスポイント
４００  ネットワーク
５００  管理サーバ
【図１】
2017046025.tif 000003
【図２】
2017046025.tif 000004
【図３】
2017046025.tif 000005
【図４】
2017046025.tif 000006
【図５】
2017046025.tif 000007
【図６】
2017046025.tif 000008
【図７】
2017046025.tif 000009